【手続補正書】
【提出日】平成15年10月6日(2003.10.6)
【手続補正１】
【補正対象書類名】明細書
【補正対象項目名】特許請求の範囲
【補正方法】変更
【補正の内容】
【特許請求の範囲】
【請求項１】
打玉が打込まれる遊技領域と、開成翼片の駆動によって打玉が入賞し易い状態と入賞し難い状態とに変化する始動口と、表示状態が変化可能であって前記始動口への入賞を条件として可変開始する可変表示装置とを有し、該可変表示装置の表示結果が予め定められた特定の表示態様となったときに所定の遊技価値を付与可能となる遊技機であって、
予め定められた記憶数の範囲内で前記始動口への入賞の成立回数を累積的に加算して記憶するとともに、前記可変表示装置を可変開始させた後に該可変表示装置の表示結果を導出表示させる可変表示制御の実行毎に前記成立回数の記憶を減算更新する条件成立回数記憶手段と、
該条件成立回数記憶手段の記憶に基づいて前記可変表示制御を行なう可変表示制御手段と、
前記開成翼片が開成するときの単位時間当りの開成時間が相異なる、通常状態および該通常状態よりも長い変動状態のいずれか一方に制御する変動調整手段と、
前記始動口への入賞が予め定められた基準値以上成立するときに、前記可変表示装置を可変開始させてから表示結果を導出表示させるまでの可変表示制御時間を短縮する可変表示制御時間短縮手段と、
前記変動調整手段によって前記通常状態から前記変動状態に変動調整されたときに、前記基準値を前記通常状態のときの基準値よりも小さい値に変更する基準値変更手段とを含むことを特徴とする、遊技機。
【請求項２】
前記可変表示制御時間短縮手段は、前記可変表示装置を可変開始させるときの前記条件成立回数記憶手段の記憶値が、前記基準値以上となったときに、前記可変表示制御時間を短縮することを特徴とする、請求項１に記載の遊技機。
【請求項３】
所定期間の経過毎に次の所定期間内における前記始動口への入賞の成立回数を記憶し直す始動入賞回数カウント手段をさらに有し、
前記可変表示制御時間短縮手段は、前記始動入賞回数カウント手段の前記所定期間におけるカウント値が前記基準値以上となったときに、前記可変表示制御時間を短縮することを特徴とする、請求項１に記載の遊技機。
【請求項４】
前記可変表示制御時間短縮手段は、前記始動口への入賞が成立したときの前記条件成立回数記憶手段の記憶数と、該入賞の成立に対応して前記可変表示装置を可変開始させるときの前記条件成立回数記憶手段の記憶数とのいずれもが前記基準値以上であることを条件として、前記可変表示制御時間を短縮することを特徴とする、請求項１に記載の遊技機。
【請求項５】
前記遊技機は、前記変動状態においては前記特定の表示態様となる確率が高い状態に変化し、
前記可変表示制御時間短縮手段は、前記変動状態において前記可変表示制御時間を短縮するときには、前記通常状態において前記可変表示制御時間を短縮するときよりも、短縮後の前記可変表示制御時間を短くすることを特徴とする、請求項１〜請求項４のいずれかに記載の遊技機。
【請求項６】
前記可変表示条件が成立してから、当該可変表示条件の成立時に前記条件成立記憶手段に記憶されている数に対応する前記可変表示制御が終了して当該可変表示条件に対応して前記可変表示装置を可変開始させるときまでの時間を計時する計時手段をさらに含み、
前記可変表示制御時間短縮手段は、前記可変表示装置を可変開始させるときに、前記計時手段で所定の短縮基準時間が計時されていることを条件として、前記可変表示制御時間を短縮することを特徴とする、請求項１〜請求項５のいずれかに記載の遊技機。
【手続補正２】
【補正対象書類名】明細書
【補正対象項目名】０００６
【補正方法】変更
【補正の内容】
【０００６】
【課題を解決するための手段】
請求項１記載の本発明は、打玉が打込まれる遊技領域と、開成翼片の駆動によって打玉が入賞し易い状態と入賞し難い状態とに変化する始動口と、表示状態が変化可能であって前記始動口への入賞を条件として可変開始する可変表示装置とを有し、該可変表示装置の表示結果が予め定められた特定の表示態様となったときに所定の遊技価値を付与可能となる遊技機であって、
予め定められた記憶数の範囲内で前記始動口への入賞の成立回数を累積的に加算して記憶するとともに、前記可変表示装置を可変開始させた後に該可変表示装置の表示結果を導出表示させる可変表示制御の実行毎に前記成立回数の記憶を減算更新する条件成立回数記憶手段と、
該条件成立回数記憶手段の記憶に基づいて前記可変表示制御を行なう可変表示制御手段と、
前記開成翼片が開成するときの単位時間当りの開成時間が相異なる、通常状態および該通常状態よりも長い変動状態のいずれか一方に制御する変動調整手段と、
前記始動口への入賞が予め定められた基準値以上成立するときに、前記可変表示装置を可変開始させてから表示結果を導出表示させるまでの可変表示制御時間を短縮する可変表示制御時間短縮手段と、
前記変動調整手段によって前記通常状態から前記変動状態に変動調整されたときに、前記基準値を前記通常状態のときの基準値よりも小さい値に変更する基準値変更手段とを含むことを特徴とする。


【手続補正３】
【補正対象書類名】明細書
【補正対象項目名】０００７
【補正方法】変更
【補正の内容】
【０００７】
請求項２記載の本発明は、請求項１記載の発明の構成に加えて、前記可変表示制御時間短縮手段は、前記可変表示装置を可変開始させるときの前記条件成立回数記憶手段の記憶値が、前記基準値以上となったときに、前記可変表示制御時間を短縮することを特徴とする。


【手続補正４】
【補正対象書類名】明細書
【補正対象項目名】０００８
【補正方法】変更
【補正の内容】
【０００８】
請求項３記載の本発明は、請求項１記載の発明の構成に加えて、所定期間の経過毎に次の所定期間内における前記始動口への入賞の成立回数を記憶し直す始動入賞回数カウント手段をさらに有し、
前記可変表示制御時間短縮手段は、前記始動入賞回数カウント手段の前記所定期間におけるカウント値が前記基準値以上となったときに、前記可変表示制御時間を短縮することを特徴とする。
請求項４記載の本発明は、請求項１記載の発明の構成に加えて、前記可変表示制御時間短縮手段は、前記始動口への入賞が成立したときの前記条件成立回数記憶手段の記憶数と、該入賞の成立に対応して前記可変表示装置を可変開始させるときの前記条件成立回数記憶手段の記憶数とのいずれもが前記基準値以上であることを条件として、前記可変表示制御時間を短縮することを特徴とする。
請求項５記載の本発明は、請求項１〜請求項４のいずれかに記載の発明の構成に加えて、前記遊技機は、前記変動状態においては前記特定の表示態様となる確率が高い状態に変化し、
前記可変表示制御時間短縮手段は、前記変動状態において前記可変表示制御時間を短縮するときには、前記通常状態において前記可変表示制御時間を短縮するときよりも、短縮後の前記可変表示制御時間を短くすることを特徴とする。
請求項６記載の本発明は、請求項１〜請求項５のいずれかに記載の発明の構成に加えて、前記可変表示条件が成立してから、当該可変表示条件の成立時に前記条件成立記憶手段に記憶されている数に対応する前記可変表示制御が終了して当該可変表示条件に対応して前記可変表示装置を可変開始させるときまでの時間を計時する計時手段をさらに含み、
前記可変表示制御時間短縮手段は、前記可変表示装置を可変開始させるときに、前記計時手段で所定の短縮基準時間が計時されていることを条件として、前記可変表示制御時間を短縮することを特徴とする。
【手続補正５】
【補正対象書類名】明細書
【補正対象項目名】０００９
【補正方法】変更
【補正の内容】
【０００９】
【作用】
請求項１記載の本発明によれば、条件成立回数記憶手段の働きにより、予め定められた記憶数の範囲内で始動口への入賞の成立回数が累積的に加算して記憶されるとともに、可変表示装置を可変開始させた後に可変表示装置の表示結果を導出表示させる可変表示制御の実行毎に成立回数の記憶が減算更新される。可変表示制御手段の働きにより、条件成立回数記憶手段の記憶に基づいて可変表示制御が行なわれる。変動調整手段の働きにより、開成翼片が開成するときの単位時間当りの開成時間が相異なる、通常状態および該通常状態よりも長い変動状態のいずれか一方に制御される。さらに、可変表示制御時間短縮手段の働きにより、始動口への入賞が予め定められた基準値以上成立するときに、可変表示装置を可変開始させてから表示結果を導出表示させるまでの可変表示制御時間が短縮される。基準値変更手段の働きにより、変動調整手段によって通常状態から変動状態に変動調整されたときに、基準値を通常状態のときの基準値よりも小さい値に変更される。
【手続補正６】
【補正対象書類名】明細書
【補正対象項目名】００１０
【補正方法】変更
【補正の内容】
【００１０】
請求項２記載の本発明によれば、請求項１記載の発明の作用に加えて、可変表示制御時間短縮手段の働きにより、可変表示装置を可変開始させるときの条件成立回数記憶手段の記憶値が、基準値以上となったときに、可変表示制御時間が短縮される。
【手続補正７】
【補正対象書類名】明細書
【補正対象項目名】００１１
【補正方法】変更
【補正の内容】
【００１１】
請求項３記載の本発明によれば、請求項１記載の発明の作用に加えて、始動入賞回数カウント手段の働きにより、所定期間の経過毎に次の所定期間内における始動口への入賞の成立回数が記憶し直される。可変表示制御時間短縮手段の働きにより、始動入賞回数カウント手段の所定期間におけるカウント値が基準値以上となったときに、可変表示制御時間が短縮される。
請求項４記載の本発明によれば、請求項１記載の発明の作用に加えて、可変表示制御時間短縮手段の働きにより、始動口への入賞が成立したときの条件成立回数記憶手段の記憶数と、入賞の成立に対応して可変表示装置を可変開始させるときの条件成立回数記憶手段の記憶数とのいずれもが基準値以上であることを条件として、可変表示制御時間が短縮される。
請求項５記載の本発明によれば、請求項１〜請求項４のいずれかに記載の発明の作用に加えて、遊技機は、変動状態においては特定の表示態様となる確率が高い状態に変化させる。可変表示制御時間短縮手段の働きにより、変動状態において可変表示制御時間を短縮させるときには、通常状態において可変表示制御時間を短縮させるときよりも、短縮後の可変表示制御時間が短くされる。
請求項６記載の本発明によれば、請求項１〜請求項５のいずれかに記載の発明の作用に加えて、計時手段の働きにより、可変表示条件が成立してから、可変表示条件の成立時に条件成立記憶手段に記憶されている数に対応する可変表示制御が終了して可変表示条件に対応して可変表示装置を可変開始させるときまでの時間が計時される。可変表示制御時間短縮手段の働きにより、可変表示装置を可変開始させるときに、計時手段で所定の短縮基準時間が計時されていることを条件として、可変表示制御時間が短縮される。
【手続補正８】
【補正対象書類名】明細書
【補正対象項目名】０２４５
【補正方法】変更
【補正の内容】
【０２４５】
【発明を解決するための手段の具体例の効果】
請求項１記載の本発明によれば、変動調整手段によって通常状態から変動状態に変動調整されたときに、基準値を通常状態のときの基準値よりも小さい値に変更されるので、通常状態のときにおいては前記可変表示制御時間が短縮される機会があまりに多くなりすぎて、可変表示装置が可変表示することにより遊技者に付与される遊技興趣が低下することを防止できながらも、変動状態のときには遊技者をあまりに待たせすぎることなく、可変表示装置の表示結果を導出表示させることができる。


【手続補正９】
【補正対象書類名】明細書
【補正対象項目名】０２４６
【補正方法】変更
【補正の内容】
【０２４６】
請求項２記載の本発明によれば、請求項１記載の発明の効果に加えて、可変表示制御時間短縮手段の働きにより、可変表示装置を可変開始させるときの条件成立回数記憶手段の記憶値が、基準値以上となったときに、可変表示制御時間が短縮される。
【手続補正１０】
【補正対象書類名】明細書
【補正対象項目名】０２４７
【補正方法】変更
【補正の内容】
【０２４７】
請求項３記載の本発明によれば、請求項１記載の発明の効果に加えて、始動入賞回数カウント手段の働きにより、所定期間の経過毎に次の所定期間内における始動口への入賞の成立回数が記憶し直される。可変表示制御時間短縮手段の働きにより、始動入賞回数カウント手段の所定期間におけるカウント値が基準値以上となったときに、可変表示制御時間が短縮される。
請求項４記載の本発明によれば、請求項１記載の発明の効果に加えて、可変表示制御時間短縮手段の働きにより、始動口への入賞が成立したときの条件成立回数記憶手段の記憶数と、入賞の成立に対応して可変表示装置を可変開始させるときの条件成立回数記憶手段の記憶数とのいずれもが基準値以上であることを条件として、可変表示制御時間が短縮される。
請求項５記載の本発明によれば、請求項１〜請求項４のいずれかに記載の発明の効果に加えて、遊技機は、変動状態においては特定の表示態様となる確率が高い状態に変化させる。可変表示制御時間短縮手段の働きにより、変動状態において可変表示制御時間を短縮させるときには、通常状態において可変表示制御時間を短縮させるときよりも、短縮後の可変表示制御時間が短くされる。
請求項６記載の本発明によれば請求項１〜請求項５のいずれかに記載の発明の効果に加えて、計時手段の働きにより、可変表示条件が成立してから、可変表示条件の成立時に条件成立記憶手段に記憶されている数に対応する可変表示制御が終了して可変表示条件に対応して可変表示装置を可変開始させるときまでの時間が計時される。可変表示制御時間短縮手段の働きにより、可変表示装置を可変開始させるときに、計時手段で所定の短縮基準時間が計時されていることを条件として、可変表示制御時間が短縮される。